(57)【要約】【課題】強度が高く、嵌合解除操作が容易な弾性フック部材を備えた天井板用吊持杆の連結機構を提供する。【解決手段】天井板用吊持杆１ａの垂直状主板部２に基板部９が接合される弾性フック部材８Ａにあって、該基板部９から延成された延成板部１２に設けられる返し板部１３と嵌合舌片部１５とに、返し板部１３の上下幅方向に沿って延在する返し板補強部１７と、嵌合舌片部１５の突設方向に沿って延在する嵌合舌片補強部１８とを備えた補強リブ１６を、前記延成板部１２側に凹陥させて形成した。これにより、返し板部１３及び嵌合舌片部１５の強度が向上し、嵌合舌片部１５を延成板部１２側に押圧する嵌合解除操作時に、凹陥した嵌合舌片補強部１８を工具の先鋭端の引っ掛け部とすることができるとともに、嵌合舌片部１５のみが延成板部１２側に湾曲することがなく、その嵌合解除操作を容易に行うことができる。【選択図】図２
2008285813.tif 000002
【特許請求の範囲】
【請求項１】
一方の天井板用吊持杆の端部に設けられた弾性フック部材と、他方の天井板用吊持杆の垂直状主板部に形成された、孔側縁に嵌合溝を具備する縦長形状の係合孔とを備え、該係合孔に対する前記弾性フック部材の係合作用を介して天井板用吊持杆相互をＴ字状に連結する連結機構であって、
前記弾性フック部材が、
天井板用吊持杆の垂直状主板部の端部側面に接合されて、先端が該垂直状主板部の端部から突出する基板部と、
該基板部の先端から、他方の天井板用吊持杆の垂直状主板部の側面に当接可能な当接段縁を介して延成された延成板部と、
該延成板部に設けられて、該延成板部の延成方向と逆方向で該延成板部から離れるように拡開状に突出する返し板部と、
該返し板部の端縁に突設された、前記係合孔の嵌合溝に嵌合可能な嵌合舌片部と
を備えてなる天井板用吊持杆の連結機構において、
前記返し板部と前記嵌合舌片部とに、前記返し板部の上下幅方向に沿って延在する返し板補強部と、前記嵌合舌片部の突設方向に沿って延在する嵌合舌片補強部とを備えた補強リブが、前記延成板部側に凹陥させて形成されていることを特徴とする天井板用吊持杆の連結機構。
【請求項２】
天井板用吊持杆の垂直状主板部の端部側面に接合される弾性フック部材の基板部に、該基板部の上下両端縁を垂直状主板部との非接合面側に突出してなる補強フランジ縁部が設けられていることを特徴とする請求項１記載の天井板用吊持杆の連結機構。
【発明の詳細な説明】
【技術分野】
【０００１】
本発明は、天井板を吊持するための天井板用吊持杆相互をＴ字状に連結するための天井板用吊持杆の連結機構に関する。
【背景技術】
【０００２】
天井板用吊持杆ｆは、図７に示すように、断面略逆Ｔ字状を呈し、上下方向に所定幅で延在する垂直状主板部ａと、該垂直状主板部ａの下端から両外側方に突成されて天井板ｐ（図８参照）の端縁を支持する支持縁部ｇ，ｇと、前記垂直状主板部ａの上端に連成されて、建物の構造駆体の天壁面（図示省略）から垂設されたハンガーｊ（図８参照）に係合される係止頭部ｉとを備えており、図８に示すように、複数の天井板用吊持杆ｆを格子状に組み付けることによって矩形枠部ｈを区画し、該矩形枠部ｈを構成する各支持縁部ｇに天井板ｐの四辺縁を乗載して支持させることにより、各天井板ｐを縦横に列設したり、或いは、複数の天井板用吊持杆ｆを相互に平行に配設して、対向する各支持縁部ｇに天井板ｐの二辺縁を乗載して支持したりするものである。
【０００３】
ここで、上記のように複数の天井板用吊持杆ｆを格子状に組み付ける場合に、図９（Ａ）に示すように、一方の天井板用吊持杆ｆ１の端部に弾性フック部材ｂを設け、他方の天井板用吊持杆ｆ２の垂直状主板部ａに、孔側縁に嵌合溝ｄを具備する縦長形状の係合孔ｃ，ｃ（図９（Ｂ）参照）を形成して、該係合孔ｃに対する前記弾性フック部材ｂの係合作用を介して天井板用吊持杆ｆ１，ｆ２相互をＴ字状に連結するようにした構成が本願出願人によって既に提案されている（特許文献１参照）。
【０００４】
前記弾性フック部材ｂはバネ性を有する金属板等の板材を用いて形成されており、図１０（Ａ），（Ｂ）に示すように、一方の天井板用吊持杆ｆ１の垂直状主板部ａの端部側面に接合されて、先端が該垂直状主板部ａの端部から突出する基板部ｅと、該基板部ｅの先端から、他方の天井板用吊持杆ｆ２（図９（Ａ）参照）の垂直状主板部ａの側面に当接可能な当接段縁ｋを介して延成された延成板部ｍと、該延成板部ｍの先端から略Ｕ字状に折り返された返し板部ｎと、該返し板部ｎの端縁ｒに突設された、前記係合孔ｃの嵌合溝ｄに嵌合可能な嵌合舌片部ｓとを備えている。
【０００５】
そして、天井板用吊持杆ｆ１，ｆ２の組み付けに際しては、前記弾性フック部材ｂを、他方の天井板用吊持杆ｆ２の垂直状主板部ａに形成した係合孔ｃ（図９（Ｂ）参照）に嵌入することにより、その嵌入移動に伴って該係合孔ｃの孔側縁に摺接する返し板部ｎが延成板部ｍ側に押圧されて復元弾性に抗した状態で係合孔ｃを通過し、その通過後に基板部ｅの当接段縁ｋが他方の天井板用吊持杆ｆ２の垂直状主板部ａの側面に当接する位置で、返し板部ｎが復元弾性を介して拡開するとともに、返し板部ｎの端縁ｒに突設された嵌合舌片部ｓが係合孔ｃの嵌合溝ｄに嵌合された状態となる。これにより、図９（Ａ）に示すように、返し板部ｎの端縁ｒが嵌合溝ｄの上下位置で垂直状主板部ａの側面に当接し、該返し板部ｎが係合孔ｃから脱出不能となって、天井板用吊持杆ｆ１，ｆ２相互をＴ字状に連結することができるようになっている。また、係合孔ｃの嵌合溝ｄに嵌合された返し板部ｎの嵌合舌片部ｓが嵌合溝ｄの内底縁に復元弾性を介して弾接する状態となるため、返し板部ｎは、その完全な拡開が規制されて、復元弾性を保持した状態に維持される。これにより、弾性フック部材ｂが係合孔ｃ内で幅方向にガタつくことがなく、しかも、一方の天井板用吊持杆ｆ１に引張方向の力が作用した場合にも、返し板部ｎが拡開することなく保持される。さらに、嵌合舌片部ｓの突端が嵌合溝ｄから後方に突出しているので、ドライバー等の適宜の工具の先鋭端を用いて該嵌合舌片部ｓを延成板部ｍ側に押圧する嵌合解除操作によって、弾性フック部材ｂを係合孔ｃから引き抜くことが可能となり、天井板用吊持杆ｆ１，ｆ２相互を分離し得るようになっている。
【０００６】
また、上記のように、延成板部ｍの先端を略Ｕ字状に折り返して返し板部ｎを形成する構成に代えて、図１１に示すように、延成板部ｍを略コ字状に切り起こして返し板部ｎを形成するようにした構成も本願出願人によって既に提案されている（特許文献２参照）。
【特許文献１】特開２００２−２８５６７５号公報
【特許文献２】特開２００４−２４４８９０号公報
【発明の開示】
【発明が解決しようとする課題】
【０００７】
ところで、従来構成の弾性フック部材ｂにあっては、比較的薄肉の板材によって各部が偏平に形成されているため、大きな衝撃や荷重が加えられた場合に屈曲変形が生じる虞があった。また、嵌合舌片部ｓを延成板部ｍ側に押圧する嵌合解除操作時に、該嵌合舌片部ｓが偏平であるため、工具の先鋭端が滑り易く、その嵌合解除操作がし難いものとなっていた。また、天井板用吊持杆ｆ１，ｆ２相互をＴ字状に連結した状態にあっては、図９（Ａ）に示すように、返し板部ｎの端縁ｒが嵌合溝ｄの上下位置で垂直状主板部ａの側面に当接していることにより、嵌合舌片部ｓを延成板部ｍ側に押圧すると、垂直状主板部ａの側面と返し板部ｎの端縁ｒと間に生じる摺擦抵抗によって、嵌合舌片部ｓの押圧移動に返し板部ｎが追従せず、嵌合舌片部ｓのみが延成板部ｍ側に湾曲する状態となり、これによっても、その嵌合解除操作がし難いという問題点があった。
【０００８】
本発明は、かかる従来構成の問題点を改善したものであり、弾性フック部材の強度を向上し得るとともに、嵌合舌片部の嵌合解除操作を容易に行い得るようにした天井板用吊持杆の連結機構を提供することを目的とするものである。
【課題を解決するための手段】
【０００９】
本発明は、一方の天井板用吊持杆の端部に設けられた弾性フック部材と、他方の天井板用吊持杆の垂直状主板部に形成された、孔側縁に嵌合溝を具備する縦長形状の係合孔とを備え、該係合孔に対する前記弾性フック部材の係合作用を介して天井板用吊持杆相互をＴ字状に連結する連結機構であって、前記弾性フック部材が、天井板用吊持杆の垂直状主板部の端部側面に接合されて、先端が該垂直状主板部の端部から突出する基板部と、該基板部の先端から、他方の天井板用吊持杆の垂直状主板部の側面に当接可能な当接段縁を介して延成された延成板部と、該延成板部に設けられて、該延成板部の延成方向と逆方向で該延成板部から離れるように拡開状に突出する返し板部と、該返し板部の端縁に突設された、前記係合孔の嵌合溝に嵌合可能な嵌合舌片部とを備えてなる天井板用吊持杆の連結機構において、前記返し板部と前記嵌合舌片部とに、前記返し板部の上下幅方向に沿って延在する返し板補強部と、前記嵌合舌片部の突設方向に沿って延在する嵌合舌片補強部とを備えた補強リブが、前記延成板部側に凹陥させて形成されていることを特徴とする天井板用吊持杆の連結機構である。
【００１０】
ここで、前記補強リブの返し板補強部と嵌合舌片補強部は、互いに分離させて形成することも可能であるが、返し板部と嵌合舌片部全体の強度向上を図る上で、両者を連成することが好ましい。また、延成板部に設けられる返し板部は、延成板部の先端を略Ｕ字状に折り返して形成され得る一方、延成板部を略コ字状に切り起こしても形成され得る。
【００１１】
また、天井板用吊持杆の垂直状主板部の端部側面に接合される弾性フック部材の基板部に、該基板部の上下両端縁を垂直状主板部との非接合面側に突出してなる補強フランジ縁部を設ける構成が提案される。ここで、該補強フランジ縁部は、基板部の上下両端縁で、垂直状主板部との接合部分から先端の当接段縁に至るまで設けることが好ましい。これにより、天井板用吊持杆の長手方向に沿う圧縮力が弾性フック部材に作用しても、基板部が容易に座屈しないものとなる。
【発明の効果】
【００１２】
本発明は、上述したように、弾性フック部材を構成する返し板部と嵌合舌片部とに、返し板部の上下幅方向に沿って延在する返し板補強部と、嵌合舌片部の突設方向に沿って延在する嵌合舌片補強部とを備えた補強リブが、延成板部側に凹陥させて形成されているから、返し板部及び嵌合舌片部の強度が向上し、比較的薄肉の板材であっても厚み方向に屈曲変形し難いものとなる。そして、このように、返し板部及び嵌合舌片部が厚み方向に屈曲変形し難いため、弾性フック部材の嵌合解除操作時に、嵌合舌片部を延成板部側に押圧すると、従来のように嵌合舌片部のみが延成板部側に湾曲することなく、返し板部及び嵌合舌片部の全体を延成板部側に移動させることができる。また、補強リブが延成板部側に凹陥しているため、嵌合舌片部を延成板部側に押圧する嵌合解除操作時に、嵌合舌片部に形成された嵌合舌片補強部を工具の先鋭端の引っ掛け部とすることができ、該工具の先鋭端が滑り難くなって、その嵌合解除操作を容易に行うことができる。
【００１３】
また、天井板用吊持杆の垂直状主板部の端部側面に接合される弾性フック部材の基板部に、該基板部の上下両端縁を垂直状主板部との非接合面側に突出してなる補強フランジ縁部が設けられている構成にあっては、該補強フランジ縁部によって基板部の強度が向上し、該基板部の厚み方向の変形を防止することができる。これにより、嵌合舌片部を延成板部側に押圧する嵌合解除操作時に、基板部がその押圧力に耐え得る充分な強度を備えたものとなり、容易に変形することがない。
【発明を実施するための最良の形態】
【００１４】
以下に、本発明の第一実施例を、図１〜図５に基づいて説明する。
天井板用吊持杆１は、図１に示すように、一枚の比較的薄肉の金属製帯板材をプレス成形することによって断面略逆Ｔ字状に形成されており、上下方向に所定幅で延在する垂直状主板部２と、該垂直状主板部２の下端から両外側方に突成されて天井板ｐ，ｐの端縁を支持する支持縁部３，３と、前記垂直状主板部２の上端に連成されたハンガー係合用の係止頭部４とを備えている。また、前記支持縁部３，３は、下方に開口するスリット５が生じるように断面略門形に形成されており、支持縁部３，３の外端縁を下方に曲成した側縁部６，６と、該側縁部６，６の下端を内方に曲成し、かつ、その先端を折り返して上面に重ね合わせた底縁部７，７とから構成されている。
【００１５】
前記天井板用吊持杆１の材質には、上述したプレス成形の場合、亜鉛メッキ鋼板，ステンレス鋼板，カラー鋼板，アルミニウム板が用いられ得る。また、アルミニウムを素材とする場合には押出し成型品であってもよく、さらには所定の強度を備えた不燃性合成樹脂製とすることも可能である。
【００１６】
かかる天井板用吊持杆１にあって、二本の天井板用吊持杆１ａ，１ｂをＴ字状に連結する連結機構について説明する。
一方の天井板用吊持杆１ａの端部には、図２（Ａ），（Ｂ）に示すように、弾性フック部材８Ａが設けられている。該弾性フック部材８Ａは、バネ性を有する比較的薄肉の板材を用いて形成されており、その基板部９が天井板用吊持杆１ａの垂直状主板部２の端部側面に接合されている。ここで、弾性フック部材８Ａの材質には、バネ鋼板が好適に用いられ得るが、通常の鉄鋼板の所要箇所に焼き入れ処理を施してバネ性を付与したものであってもよく、或いは、所要の弾性及び強度を備えた不燃性合成樹脂であってもよい。また、図示したものは、バネ鋼板や鉄鋼板からなる金属製の弾性フック部材８Ａの基板部９を加締め部１０によって垂直状主板部２に接合するようにしているが、該弾性フック部材８Ａの接合手段は加締めに限定されるものではなく、ビス止めや溶接を用いることも可能である。また、弾性フック部材８Ａと天井板用吊持杆１ａを共に合成樹脂製とした場合には、接着剤によって接合することも可能である。
【００１７】
前記弾性フック部材８Ａの基板部９は、その先端が垂直状主板部２の端部から側方に突出されている。この突出長さは、直交状に連結される他方の天井板用吊持杆１ｂの垂直状主板部２の側面までの距離ｗ（図４参照）に相当しており、その先端には他方の天井板用吊持杆１ｂの垂直状主板部２の側面に当接可能な当接段縁１１が形成されている。また、該基板部９の先端からは、当接段縁１１を介して狭幅となる所定長さの延成板部１２が基板部９の突出方向と同方向に延成されており、さらに該延成板部１２には、該延成板部１２の先端を略Ｕ字状に折り返してなる返し板部１３が連成されている。ここで、該返し板部１３は、延成板部１２の延成方向と逆方向で該延成板部１２から離れるように拡開状に突出されており、その突端の抜け止め端縁１４と前記当接段縁１１との間隔ｔ（図２（Ａ）参照）が垂直状主板部２の厚みに略一致するように設定されている。さらに、該返し板部１３の抜け止め端縁１４からは、後述する係合孔２０ａ，２０ｂ（図３参照）の嵌合溝２１，２１に嵌合可能な嵌合舌片部１５が、返し板部１３の突出方向と同方向に突設されている。
【００１８】
そして、前記返し板部１３と前記嵌合舌片部１５とには、前記延成板部１２側に凹陥する断面円弧状の補強リブ１６が形成されている。該補強リブ１６は、返し板部１３の上下幅方向に沿って延在する返し板補強部１７と、該返し板補強部１７に連成されて、嵌合舌片部１５の突設方向に沿って延在する嵌合舌片補強部１８とを備えている。
【００１９】
また、前記弾性フック部材８Ａの基板部９には、該基板部９の上下両端縁を垂直状主板部２との非接合面側に突出してなる補強フランジ縁部１９ａ，１９ｂが設けられている。
【００２０】
一方、図３に示すように、他方の天井板用吊持杆１ｂには、その垂直状主板部２に、前記延成板部１２及び返し板部１３の上下幅に略等しい縦長形状の係合孔２０ａ，２０ｂが相互に連通した状態で形成されている。各係合孔２０ａ，２０ｂは、夫々その横幅が延成板部１２と返し板部１３を略平行状態で通過可能とする幅寸法に設定されている。また、各係合孔２０ａ，２０ｂの孔側縁には、前記嵌合舌片部１５に対応する高さ位置に、該嵌合舌片部１５が嵌合可能な嵌合溝２１，２１が夫々形成されている。さらに、該嵌合溝２１，２１には、ドライバー等の工具の軸部を挿通可能な半円形の切欠溝２５，２５が連成されている。
【００２１】
また、他方の天井板用吊持杆１ｂには、前記係合孔２０ａ，２０ｂの形成位置に対応する側縁部６，６に、矩形状に開口する挿入開口２２，２２が夫々形成されており、各挿入開口２２，２２に連続する底縁部７，７の開口端は、その相互間隔が奥方に至るに従って狭幅となるように４５°の角度で傾斜させた傾斜端２３，２３となっている（図５（Ｂ）参照）。また、一方の天井板用吊持杆１ａの端部には、図２（Ｂ）に示すように、底縁部７，７の先端を先狭まり状となるように４５°の角度で内方に傾斜させた三角端２４，２４が突設されている。この三角端２４，２４は、図５（Ｂ）に示すように、天井板用吊持杆１ａ，１ｂの連結時に、挿入開口２２に挿入され、他方の天井板用吊持杆１ｂの傾斜端２３，２３に当接することにより、天井板用吊持杆１ｂの長手方向に対する天井板用吊持杆１ａの位置保持作用を生じるものとなっている。これにより、各係合孔２０ａ，２０ｂ内で弾性フック部材８Ａが幅方向にズレ動くことがないようにしている。
【００２２】
かかる構成にあって、天井板用吊持杆１ａ，１ｂ相互をＴ字状に連結するには、図４（Ａ），（Ｂ）に示すように、一方の天井板用吊持杆１ａの弾性フック部材８Ａを、他方の天井板用吊持杆１ｂの垂直状主板部２に形成した係合孔２０ａに嵌入することにより、従来構成と同様に、基板部９の当接段縁１１が他方の天井板用吊持杆１ｂの垂直状主板部２の側面に当接する位置で、返し板部１３の嵌合舌片部１５が復元弾性を介して係合孔２０ａの嵌合溝２１に嵌合されるとともに、返し板部１３の抜け止め端縁１４が係合孔２０ａの嵌合溝２１の上下位置で他方の天井板用吊持杆１ｂの垂直状主板部２の側面に当接され、該返し板部１３が係合孔２０ａから脱出不能となって、天井板用吊持杆１ａ，１ｂ相互をＴ字状に連結することができる。尚、図５（Ａ），（Ｂ）に示すように、別の天井板用吊持杆１ｃの端部に設けた弾性フック部材８Ａを、天井板用吊持杆１ｂの他側から係合孔２０ｂに嵌入することにより、天井板用吊持杆１ｂの両側に、天井板用吊持杆１ａ，１ｃを交叉状に連結することができる。
【００２３】
また、上記のように連結した天井板用吊持杆１ａ，１ｂ相互を分離する場合には、嵌合溝２１から後方に突出している嵌合舌片部１５の突端を、ドライバー等の適宜の工具の先鋭端を用いて該嵌合舌片部１５を延成板部１２側に押圧する嵌合解除操作によって、弾性フック部材８Ａを係合孔２０ａから引き抜くことができる。
【００２４】
ここで、本発明にあっては、弾性フック部材８Ａを構成する返し板部１３と嵌合舌片部１５とに、返し板部１３の上下幅方向に沿って延在する返し板補強部１７と、嵌合舌片部１５の突設方向に沿って延在する嵌合舌片補強部１８とを備えた断面円弧状の補強リブ１６が形成されていることにより、返し板部１３及び嵌合舌片部１５の強度が向上し、比較的薄肉の板材であっても厚み方向に屈曲変形し難いものとなる。これにより、弾性フック部材８Ａの嵌合解除操作時に、嵌合舌片部１５を延成板部１２側に押圧すると、嵌合舌片部１５のみが延成板部１２側に湾曲することなく、返し板部１３及及び嵌合舌片部１５の全体を延成板部１２側に移動させることができ、その嵌合解除操作を容易に行うことができる。また、補強リブ１６が延成板部１２側に凹陥しているため、嵌合舌片部１５を延成板部１２側に押圧する嵌合解除操作時に、嵌合舌片部１５に形成された嵌合舌片補強部１８を工具の先鋭端の引っ掛け部とすることができ、該工具の先鋭端が滑り難くなって、その嵌合解除操作を容易に行うことができる。
【００２５】
また、弾性フック部材８Ａの基板部９に、該基板部９の上下両端縁を垂直状主板部２との非接合面側に突出してなる補強フランジ縁部１９ａ，１９ｂが設けられていることにより、該補強フランジ縁部１９ａ，１９ｂによって基板部９の強度が向上し、該基板部９の厚み方向の変形を防止することができる。これにより、嵌合舌片部１５を延成板部１２側に押圧する嵌合解除操作時に、基板部９がその押圧力に耐え得る充分な強度を備えたものとなる。
【００２６】
図６（Ａ），（Ｂ）は、第二実施例を示し、この第二実施例の弾性フック部材８Ｂは、延成板部１２を略コ字状に切り起こすことにより、嵌合舌片部１５を備えた返し板部１３を形成したものであり、これによって、延成板部１２に、該延成板部１２の延成方向と逆方向で該延成板部１２から離れるように拡開状に突出する返し板部１３が設けられている。また、該返し板部１３と嵌合舌片部１５とには、返し板部１３の上下幅方向に沿って延在する返し板補強部１７と、嵌合舌片部１５の突設方向に沿って延在する嵌合舌片補強部１８とを備えた断面円弧状の補強リブ１６が、前記延成板部１２側に凹陥させて形成されている。その他、第一実施例と共通する構成部分については第一実施例と同一符号を付して重複説明を省略する。
【００２７】
かかる構成にあっても、弾性フック部材８Ｂの返し板部１３と嵌合舌片部１５とに設けられた補強リブ１６により、返し板部１３及び嵌合舌片部１５の強度が向上し、比較的薄肉の板材であっても厚み方向に屈曲変形し難いものとなる。また、該補強リブ１６が延成板部１２側に凹陥しているため、嵌合舌片部１５を延成板部１２側に押圧する嵌合解除操作時に、嵌合舌片部１５に形成された嵌合舌片補強部１８を工具の先鋭端の引っ掛け部とすることができ、該工具の先鋭端が滑り難くなって、その嵌合解除操作を容易に行うことができる。
【００２８】
また、弾性フック部材８Ｂの基板部９に設けられた補強フランジ縁部１９ａ，１９ｂにより、基板部９の強度が向上し、該基板部９の厚み方向の変形を防止することができる。これにより、嵌合舌片部１５を延成板部１２側に押圧する嵌合解除操作時に、基板部９がその押圧力に耐え得る充分な強度を備えたものとなる。
【図面の簡単な説明】
【００２９】
【図１】天井板用吊持杆１の縦断側面図である。
【図２】第一実施例にかかる弾性フック部材８Ａを備えた天井板用吊持杆１を示し、（Ａ）は正面図、（Ｂ）は一部切欠平面図である。
【図３】天井板用吊持杆１ｂの垂直状主板部２に形成された係合孔２０ａ，２０ｂと、側縁部６に形成された挿入開口２２を示す正面図である。
【図４】（Ａ）は天井板用吊持杆１ａ，１ｂをＴ字状に連結した状態を示す正面図、（Ｂ）は天井板用吊持杆１ｂの背面側から視たＴ字状連結状態の側面図である。
【図５】（Ａ）は天井板用吊持杆１ａ，１ｂ，１ｃを交叉状に連結した状態を示す正面図、（Ｂ）はその横断平面図である。
【図６】第二実施例にかかる弾性フック部材８Ｂを備えた天井板用吊持杆１を示し、（Ａ）は正面図、（Ｂ）は一部切欠平面図である。
【図７】天井板用吊持杆ｆの斜視図である。
【図８】従来の天井板用吊持杆ｆを格子状に組み付けて使用する状態を示す説明図である。
【図９】（Ａ）は従来構成の弾性フック部材ｂによって天井板用吊持杆ｆ１，ｆ２をＴ字状に連結した状態を示す正面図、（Ｂ）は天井板用吊持杆ｆ２に形成された係合孔ｃを示す正面図である。
【図１０】（Ａ）は従来構成の弾性フック部材ｂを備えた天井板用吊持杆ｆ１の正面図、（Ｂ）は該弾性フック部材ｂの平面図である。
【図１１】他の従来構成の弾性フック部材ｂを備えた天井板用吊持杆ｆ１の正面図である。
【符号の説明】
【００３０】
１，１ａ，１ｂ  天井板用吊持杆
２  垂直状主板部
８  弾性フック部材
９  基板部
１１  当接段縁
１２  延成板部
１３  返し板部
１５  嵌合舌片部
１６  補強リブ
１７  返し板補強部
１８  嵌合舌片補強部
１９ａ，１９ｂ  補強フランジ縁部
２０ａ，２０ｂ  係合孔  
２１  嵌合溝
【図１】
2008285813.tif 000003
【図２】
2008285813.tif 000004
【図３】
2008285813.tif 000005
【図４】
2008285813.tif 000006
【図５】
2008285813.tif 000007
【図６】
2008285813.tif 000008
【図７】
2008285813.tif 000009
【図８】
2008285813.tif 000010
【図９】
2008285813.tif 000011
【図１０】
2008285813.tif 000012
【図１１】
2008285813.tif 000013